(57)【要約】【課題】直管ランプの高さ方向の位置調整を可能として直管ランプの撓みを確実に矯正でき、直管ランプの落下を防止できる直管ランプ用支持具及び照明器具を提供する。【解決手段】照明器具本体１０に固定する第１の固定具３１と、第１の固定具３１と係合する帯状の第２の固定具３２と、第２の固定具３２の一方の端部側に形成し長手方向に沿って等間隔に配置した所定の開口面積を有する複数の第１の開口部３２ｂと、第２の固定具３２の他方の端部側に形成し複数の第１の開口部３２ｂとは間隔及び開口面積のうち少なくともいずれか一方を異ならせて等間隔に配置した複数の第２の開口部３２ｃと、を有し、第１の開口部３２ｂの任意の一つを直管ランプ２０の径方向の一方側から第１の固定具３１に係合し、第２の開口部３２ｃの任意の一つを直管ランプ２０の径方向の他方側から第１の固定具３１に係合することにより直管ランプ２０を下側から支持する。【選択図】図１
2015138690.tif 000002
【特許請求の範囲】
【請求項１】
照明器具本体の両端に設けた一対のソケットの間で直管ランプを支持する直管ランプ用支持具において、
前記一対のソケット間で前記照明器具本体に固定する第１の支持具と、
前記第１の支持具と係合して前記直管ランプを下側から支持する帯状の第２の支持具と、を備え、
前記第２の支持具は、
一方の端部側に形成し、前記第２の支持具の長手方向に沿って等間隔に配置した所定の開口面積を有する複数の第１の開口部と、
他方の端部側に形成し、複数の前記第１の開口部とは前記間隔及び前記開口面積のうち少なくともいずれか一方を異ならせて等間隔に配置した複数の第２の開口部と、を有し、
複数の前記第１の開口部の任意の一つを前記直管ランプの径方向の一方側から前記第１の支持具に係合し、複数の前記第２の開口部の任意の一つを前記直管ランプの径方向の他方側から前記第１の支持具に係合することにより、前記直管ランプを下側から支持することを特徴とする直管ランプ用支持具。
【請求項２】
前記第２の支持具は、可撓性を有する弾性部材から構成したことを特徴とする請求項１に記載の直管ランプ用支持具。
【請求項３】
前記第１の支持具は、前記直管ランプの径方向の両端側に位置するフック部を有し、
前記フック部の一方に複数の前記第１の開口部の任意の一つを係合し、前記フック部の一方に複数の前記第２の開口部の任意の一つを係合することにより、前記直管ランプを下側から支持することを特徴とする請求項１又は請求項２に記載の直管ランプ用支持具。
【請求項４】
前記第１の開口部は、直径２ｍｍの円形状であり、
前記第２の開口部は、前記第２の支持具の短手方向に沿う短径２ｍｍ、前記第２の支持具の長手方向に沿う長径７ｍｍの楕円形状又は小判型形状であることを特徴とする請求項１乃至請求項３のいずれか１の請求項に記載の直管ランプ用支持具。
【請求項５】
複数の前記第１の開口部の前記間隔は、５ｍｍであり、
複数の前記第２の開口部の前記間隔は、１０ｍｍであることを特徴とする請求項１乃至請求項４のいずれか１の請求項に記載の直管ランプ用支持具。
【請求項６】
前記第２の支持具は、白色系シリコンゴム材料で形成したことを特徴とする請求項１乃至請求項５のいずれか１の請求項に記載の直管ランプ用支持具。
【請求項７】
請求項１乃至請求項６のいずれか１の請求項に記載の直管ランプ用支持具と、
前記照明器具本体と、前記直管ランプと、を備えることを特徴とする照明装置。
【発明の詳細な説明】
【技術分野】
【０００１】
本発明は、照明器具本体に装着した直管ランプを支持する直管ランプ用支持具及び照明装置に関する。
【背景技術】
【０００２】
従来、例えば、図１６に示すように、照明装置１００にあっては、照明器具本体１０１の両端付近に一対のソケット１０２を設けている。この一対のソケット１０２は、両端の口金２０１を嵌め込むことで直管ランプ２００を着脱可能（交換可能）に保持している。
【０００３】
また、照明器具本体１０１には、直管ランプ２００の照明光を照明対象に向けて反射するための反射板１０３を備えている。なお、反射板１０３の中央部には、ネジ穴１０５が予め設けられている。
【０００４】
ところが、このような照明装置１００にあっては、図１７に示すように、直管ランプ２００の長さである長手方向に沿う中央部分を下向きの頂点として反射板１０３から離れる方向（図１７中に示す矢印Ｘ方向）に撓むことがある。
【０００５】
このような撓みは、特に、直管ランプ２００の寸法が長くなるほど顕著となる。しかも、直管ランプ２００をＬＥＤランプとした場合、多数のＬＥＤ光源や回路基板等（図示せず）をアルミフレームに装着するとともに、ＬＥＤ光源を覆うようにアルミフレームにポリカーボネート製の透明樹脂カバーを装着している。これにより、ＬＥＤ光源の発熱に伴う経年劣化による透明樹脂カバーの撓みがガラス管製の蛍光ランプよりも顕著である。
【０００６】
また、照明装置１００は建物等の天井に複数設置するのが一般的であるため、このような撓みの発生した直管ランプ２００が複数並ぶと、外観上の見栄えが良くない等の不具合が発生することがある。
【０００７】
さらに、このような撓みが顕著に発生してしまうと、一対のソケット１０２の距離に対して直管ランプ２００の長さが短くなってしまうことを意味するため、結果的に、一対のソケット１０２と口金２０１との嵌め合い状態が緩くなってしまう虞がある。
【０００８】
そこで、このような撓みの発生を抑制するため、直管ランプ２００の中途部を下向きに保持するため、バネ性を有する複数の保持金具を照明器具本体に設ける等の対策が施されている（例えば、特許文献１参照）。
【発明の概要】
【発明が解決しようとする課題】
【０００９】
ところで、通常、直管ランプ２００は、着脱可能であって、様々な種類（例えば、天井埋め込み型や天井突出型など）の照明器具本体に取り付けられる。特に、近年では、直径のスリム化や、既設の蛍光ランプ用照明器具本体にＬＥＤランプを取り付けるなどの省エネ化に伴い、直管ランプ２００の直径や断面形状が一律ではなくなってきている。
【００１０】
しかしながら、特許文献１に記載の保持金具では、照明器具本体に対して特別な形状の固定構造を有しているために専用品となってしまい、汎用性が低いという問題があった。さらに、特許文献１に記載の保持金具では、取り付け対象である反射板と平行な平面内において、直管ランプの長手方向及び径方向に沿って位置調整することは可能であるが、高さ方向に対する位置調整ができないという問題もあった。
【００１１】
このように、上述のような従来の保持金具にあっては、照明器具本体に対して専用品であるために汎用性が低いばかりでなく、直管ランプを下向きに保持するうえ、高さ方向の微調整ができないために、直管ランプの撓みを効率よく抑制して外観上の見栄えを向上するものではなかった。
【００１２】
本発明は、上述のような事情に鑑みてなされたもので、照明器具本体に対する汎用性を向上することができ、しかも、高さ方向の微調整を可能とすることで直管ランプの撓みを効率よく抑制して外観上の見栄えを向上することができる直管ランプ用支持具及び照明装置を提供することを目的とする。
【課題を解決するための手段】
【００１３】
本発明に係る直管ランプ用支持具は、上記目的を達成するため、照明器具本体の両端に設けた一対のソケットの間で直管ランプを支持する直管ランプ用支持具において、前記一対のソケット間で前記照明器具本体に固定する第１の支持具と、前記第１の支持具と係合して前記直管ランプを下側から支持する帯状の第２の支持具と、を備え、前記第２の支持具は、一方の端部側に形成し、前記第２の支持具の長手方向に沿って等間隔に配置した所定の開口面積を有する複数の第１の開口部と、他方の端部側に形成し、複数の前記第１の開口部とは前記間隔及び前記開口面積のうち少なくともいずれか一方を異ならせて等間隔に配置した複数の第２の開口部と、を有し、複数の前記第１の開口部の任意の一つを前記直管ランプの径方向の一方側から前記第１の支持具に係合し、複数の前記第２の開口部の任意の一つを前記直管ランプの径方向の他方側から前記第１の支持具に係合することにより、前記直管ランプを下側から支持することを特徴とする。
【発明の効果】
【００１４】
本発明では、照明器具本体に対する汎用性を向上することができ、しかも、高さ方向の微調整を可能とすることで直管ランプの撓みを効率よく抑制して外観上の見栄えを向上することができる。
【図面の簡単な説明】
【００１５】
【図１】本発明の実施の形態に係る照明装置の右方の斜め下方から視た外観斜視図である。
【図２】本発明の実施の形態に係る照明装置の側面図である。
【図３】本発明の実施の形態に係る直管ランプ用支持具における第１の固定具の右方の斜め下方から視た外観斜視図である。
【図４】本発明の実施の形態に係る直管ランプ用支持具における第２固定具の一例の平面図である。
【図５】本発明の実施の形態に係る照明装置における直管ランプの取り付け手順の第１段階を説明する右方の斜め下方から視た外観斜視図である。
【図６】本発明の実施の形態に係る照明装置における直管ランプの取り付け手順の第１段階を説明する第１の固定具の拡大図である。
【図７】本発明の実施の形態に係る照明装置における直管ランプの取り付け手順の第２段階を説明する右方の斜め下方から視た外観斜視図である。
【図８】本発明の実施の形態に係る照明装置における直管ランプの取り付け手順の第３段階を説明する右方の斜め下方から視た外観斜視図である。
【図９】本発明の実施の形態に係る照明装置における直管ランプの取り付け手順の第３段階を説明する第２の固定具周りの左方の斜め下方から視た拡大図である。
【図１０】本発明の実施の形態に係る照明装置における直管ランプの取り付け手順の第３段階を説明する第２の固定具周りの右方の斜め下方から視た拡大図である。
【図１１】比較例としての結束バンドの平面図である。
【図１２】比較例としての結束バンドにより直管ランプの設置高さを２０ｍｍに設定する場合の説明図である。
【図１３】比較例としての結束バンドにより直管ランプの設置高さを９０ｍｍに設定する場合の説明図である。
【図１４】本発明の実施の形態に係る直管ランプ用支持具における直管ランプの設置高さを２２．５ｍｍに設定する場合の説明図である。
【図１５】本発明の実施の形態に係る直管ランプ用支持具における直管ランプの設置高さを６０．５ｍｍに設定する場合の説明図である。
【図１６】従来の照明装置の直管ランプの取付前の右方の斜め下方から視た外観斜視図である。
【図１７】従来の照明装置の側面図である。
【発明を実施するための形態】
【００１６】
以下、本発明の実施の形態について、図面を参照して説明する。
【００１７】
図１及び図２に示すように、本実施の形態の照明装置１は、一対のソケット１１及び反射板１２を備えた照明器具本体１０と、一対のソケット１１に両端の口金２１が嵌め込まれて照明器具本体１０に保持された直管ランプ２０と、照明器具本体１０に装着されて直管ランプ２０を下側から支持する直管ランプ用支持具３０と、を備えている。
【００１８】
なお、照明器具本体１０は、図示しない天井に固定されており、様々な種類（例えば、天井埋め込み型や天井突出型など）としてのものであり、特に図示したものに限定されるものではない。
【００１９】
ソケット１１は、不図示の器具本体の両端部に取り付けられており、直管ランプ２０の両端に有する口金２１に備えた不図示の電極が嵌め込まれることにより直管ランプ２０に電気的に接続される。
【００２０】
ソケット１１は、器具本体に固定された不図示の点灯回路を通じて不図示の電源に電気的に接続される。これにより、直管ランプ２０は、不図示の制御回路が駆動されることにより点灯回路が起動され、ソケット１１に電力が供給されることにより点灯する。
【００２１】
反射板１２は、薄い板部材を折り曲げ加工することにより成形された逆富士型であって、例えば、白色の塗装が施されている。反射板１２は、直管ランプ２０の点灯時に直管ランプ２０から出射される照明光成分を照明対象に向けて反射させる。
【００２２】
直管ランプ２０には、ガラス管製の蛍光ランプの他、例えば、多数のＬＥＤ光源や回路基板等（図示せず）をアルミフレームに装着するとともに、ＬＥＤ光源を覆うようにアルミフレームにポリカーボネート製の透明樹脂カバーを装着したＬＥＤランプ等でもよい。
【００２３】
直管ランプ用支持具３０は、第１の固定具３１と、第２の固定具３２と、を備える。第１の固定具３１は、反射板１２の中央部に予め設けられているネジ穴（図５参照）１３に固定され、第２の固定具３２は、第１の固定具３１に接続される。
【００２４】
次に、直管ランプ用支持具３０の詳細構造について説明する。図３に示すように、第１の固定具３１は、例えば、鉄等の金属材料を素材とした板部材を折り曲げ加工することにより略コ字形状に形成されている。第１の固定具３１は、例えば、反射板１２と同様に、白色に着色されている。
【００２５】
第１の固定具３１は、反射板１２に平行に配置される固定具本体３１ａと、この固定具本体３１ａの両端から斜め下方に向けて延出された一対の腕部３１ｂと、腕部３１ｂの先端部に形成されたフック部３１ｃと、を有する。
【００２６】
固定具本体３１ａの中央部には、ネジ挿通孔（図６参照）３１ｄが形成されており、このネジ挿通孔３１ｄを通じ、ネジ３３を反射板１２のネジ穴１３に螺合させることにより、第１の固定具３１が反射板１２に固定される。
【００２７】
腕部３１ｂは、固定具本体３１ａの両端から互いに離れるように拡開しており、弾性を有している。
【００２８】
フック部３１ｃは、例えば、２ｍｍ以下の幅寸法を有する。第１の固定具３１が反射板１２に固定されると、フック部３１ｃを有する一対の腕部３１ｂは、直管ランプ２０の軸方向に直交する径方向において図３中の斜め下方に向けて延出される。このとき、フック部３１ｃは、図３中の上方である反射板１２に向く上向き方向に突出する。
【００２９】
図４に示すように、第２の固定具３２は、例えば、シリコンゴム等の可撓性を有する弾性材を素材としてベルト形状に形成された帯状の固定具本体３２ａを有し、例えば、白色系である乳白色に着色されている。
【００３０】
第２の固定具３２は、固定具本体３２ａの一方の端部に第２の固定具３１の長手方向に沿う方向に第１の間隔寸法Ｌ１を介して等間隔に配置された、例えば、１５個（複数）の第１の開口部３２ｂを有する。また、第２の固定具３２は、固定具本体３２ａの他方の端部に第２の固定具３１の長手方向に沿う方向に、例えば、８個（複数）の第２の開口部３２ｃを有する。この第２の開口部３２ｃは、第１の開口部３２ｂよりも開口面積が大きく、第１の間隔寸法Ｌ１よりも第２の固定具３１の長手方向に沿う方向に長い第２の間隔寸法Ｌ２を介して等間隔に配置されている。
【００３１】
ここで、第１の開口部３２ｂは、２ｍｍの直径寸法Ｌ３を有する円形状である。第２の開口部３２ｃは、第２の固定具３１の短手方向に沿う方向に２ｍｍの短径寸法Ｌ４を有し、第２の固定具３１の長手方向に沿う方向に７ｍｍの長径寸法Ｌ５を有する楕円形状（oval)又は小判型形状(oblong)である。そして、第１の間隔寸法Ｌ１は、５ｍｍであり、第２の間隔寸法Ｌ２は、１０ｍｍである。なお、図示例では、第１の間隔寸法Ｌ１と第２の間隔寸法Ｌ２とは、それぞれ第１の開口部３２ｂ及び第２の開口部３２ｃの穴の中心を基準とする距離で示しているが、隣り合う各穴の間（穴の離間距離）を基準としてもよい。
【００３２】
第２の固定具３２の一端側のうち最外端に位置する第１の開口部３２ｂと、第２の固定具３２の他端側のうち最外端に位置する第２の開口部３２ｃとの間隔寸法Ｌ６が、第２の固定具３１の短手方向に沿う方向に１９２．５ｍｍとなっている。また、第２の固定具３２の一端側のうち最内端に位置する第１の開口部３２ｂと、第２の固定具３２の他端側のうち最内端に位置する第２の開口部３２ｃとの間隔寸法Ｌ７が、第２の固定具３１の短手方向に沿う方向に５２．５ｍｍとなっている。
【００３３】
第１の開口部３２ｂ及び第２の開口部３２ｃは、第１の固定具３１の各腕部３１ｂの端部に形成されたフック部３１ｃにそれぞれ係合させることにより第１の固定具３１に接続した状態で直管ランプ２０を下側から支持するようになっている。
【００３４】
このとき、第１の開口部３２ｂは２ｍｍの直径寸法Ｌ３を有する円形状であり、第２の開口部３２ｃは２ｍｍの短径寸法Ｌ４と７ｍｍの長径寸法Ｌ５とを有する楕円形状又は小判型形状であり、フック部３１ｃは２ｍｍ以下の幅寸法である。したがって、第１の開口部３２ｂと第２の開口部３２ｃとは、フック部３１ｃの幅寸法と同じかそれ以上の開口径を有することとなり、第１の開口部３２ｂ及び第２の開口部３２ｃをフック部３１ｃに容易に係合することができる。
【００３５】
次に、直管ランプ用支持具３０を用いた直管ランプ２０の取り付け手順について説明する。
【００３６】
図５及び図６に示すように、まず、第１段階において、直管ランプ２０を取り付ける以前に、第１の固定具３１のネジ挿通孔３１ｄを通じてネジ３３を反射板１２のネジ穴１３にネジ込み、第１の固定具３１を照明装置１の反射板１２に固定する。
【００３７】
次に、図７に示すように、第２段階において、直管ランプ２０の各口金２１に有する電極をソケット１１にそれぞれ嵌め込むことにより直管ランプ２０をソケット１１に取り付ける。
【００３８】
このとき、直管ランプ２０は、その両端の口金２１がソケット１１にそれぞれ嵌め込まれて保持されているだけである。第１の固定具３１は、直管ランプ２０の径方向の両外側にフック部３１ｃがそれぞれ配置される。したがって、各フック部３１ｃは、照明装置１の下方から直視が可能である。
【００３９】
次に、図８に示すように、第３段階において、第２の固定具３２を直管ランプ２０の下方から、直管ランプ２０の径方向の略半周を抱持するようにして配置する。そのうえで、直管ランプ２０の径方向の一方側において任意の第１の開口部３２ｂを同方向側のフック部３１ｃに、直管ランプ２０の径方向の他方側において任意の第２の開口部３２ｃを同法側のフック部３１ｃにそれぞれ係合する。
【００４０】
このとき、フック部３１ｃが、照明装置１の下方から直視可能であるために、第１の開口部３２ｂ及び第２の開口部３２ｃは、フック部３１ｃに容易に係合させることができる。
【００４１】
本実施の形態においては、図９に示すように、第１の固定具３１の腕部３１ｂに有する一方のフック部３１ｃに対して、第１の固定具３１において一端側から１１番目の第１の開口部３２ｂが選ばれて係合している。
【００４２】
そして、図１０に示すように、第１の固定具３１の腕部３１ｂに有する他方のフック部３１ｃに対して、第２の固定具３２において他端側から６番目の第２の開口部３２ｃが選ばれて係合される。
【００４３】
なお、図１２に示すように、３０ｍｍの直径寸法を有する直管ランプ２０に対して、第２の固定具３２において、５２．５ｍｍの間隔寸法Ｌ７の各最外端の第１の開口部３２ｂ及び第２の開口部３２ｃとをフック部３１ｃにそれぞれ係合することも可能である。
【００４４】
これにより、直管ランプ２０を反射板１２の底面から９０ｍｍの位置Ａ２に設置することができる。
【００４５】
このように、第１の開口部３２ｂは、２ｍｍの直径寸法Ｌ３を有する円形状であって５ｍｍの第１の間隔寸法Ｌ１を有する。また、第２の開口部３２ｃは、２ｍｍの短径寸法Ｌ４を有するとともに７ｍｍの長径寸法Ｌ５を有する楕円形状又は小判型形状であって１０ｍｍの第２の間隔寸法Ｌ２を有する。このため、第２の固定具３２の複数の第１の開口部３２ｂと複数の第２の開口部３２ｃとは、２．５ｍｍの細かいピッチ寸法で、適宜組み合わせを変更して第１の固定具３１の腕部３１ｂに有する他方のフック部３１ｃに係合することができる。
【００４６】
ここで、上述したように両端に異なる開口部（第１の開口部３２ｂ，第２の開口部３２ｃ）を設けた第２の固定具３２を用いた場合と、図１１及び図１２に示す結束バンド４１を用いた場合とを比較する。
【００４７】
この比較例の結束バンド４１は、固定具本体４２の一方の端部に、２ｍｍの直径寸法Ｌ８を有する単一の円形状の基準穴４３を有し、他方の端部に１０ｍｍの第３の間隔寸法Ｌ９を介して等間隔に配置された長穴である８個（複数）の係合穴４４を有している。
【００４８】
また、結束バンド４１は、基準穴４３から一番外側の係合穴４４までは１２６ｍｍの間隔寸法Ｌ１０を有し、基準穴４３から一番内側の係合穴４４までは５６ｍｍの間隔寸法Ｌ１１を有する。また、基準穴４３から一番内側の係合穴４４の中心位置までは５３．５ｍｍの間隔寸法Ｌ１２を有する。
【００４９】
図１２に示すように、このような結束バンド４１で反射板１２の底面から直管ランプ２０の高さがもっとも低いのは丸穴と長丸の間隔が５６ｍｍの位置を使用した場合である。このような場合、図１２に示すように、反射板１２の底面から直管ランプ２０の中心までの距離は２２．５ｍｍとなり、取り付け後の端部が余る状態となる。
【００５０】
一方、反射板１２の底面から直管ランプ２０の距離が最も遠いのは丸穴と長丸の間隔が１２６ｍｍの位置を使用した場合である。このような場合、図１３に示すように、反射板１２の底面から直管ランプ２０の中心までの距離は６０．５ｍｍとなる。
【００５１】
したがって、結束バンド４１では、反射板１２の底面から高さ２２．５ｍｍ〜６０．５ｍｍの範囲で、かつ、係合穴４４を１０ｍｍピッチで形成した場合、設置可能な直管ランプ２０の位置は高さ方向に５ｍｍピッチでしか適用することができない。
【００５２】
なお、この片持ち構成の結束バンド４１の適用範囲を広げるために、結束バンド４１の長さＬ１０を長くすることが考えられる。この場合、最も反射板１２の底面に近い距離Ａ１の直管ランプ２０を取り付ける際、結束バンド４１の端部の余りが更に長くなってしまい、図１２に示すように、反射板１２から浮きが発生し、見栄えを損なうという課題が生じてしまう。
【００５３】
これに対し、本発明の第２の固定具３２の場合、例えば、図１４に示すように、反射板１２の底面から直管ランプ２０の高さがもっとも低いのは第１の開口部３２ｂと第２の開口部３２ｃとの間隔が最短の５２．５ｍｍの位置を使用した場合である。
【００５４】
このような場合には、図１４に示すように、反射板１２の底面から直管ランプ２０の中心までの距離Ｂ１は２０ｍｍとなる。この際、第２の固定具３２の取り付け後の両端部には余りが発生することとなるが、その両端部は、図１２に示した比較例の結束バンド４１のように、反射板１２からの浮きは発生し難いものとすることができる。これにより、第２の固定具３２の両端を略同一長さの余りとし、反射板１２の底面に密着した見栄えの良い係合状態とすることができる。
【００５５】
また、反射板１２の底面から直管ランプ２０の距離が最も遠いのは第１の開口部３２ｂと第２の開口部３２ｃとの間隔が最長の１９２．５ｍｍの位置を使用した場合である。
【００５６】
このような場合には、図１５に示すように、反射板１２の底面から直管ランプ２０の中心までの距離Ｂ２が９０ｍｍとなる。
【００５７】
すなわち、第２の固定具３２を用いて設置可能な直管ランプ２０の位置は、反射板１２の底面からの距離で２０ｍｍ〜９０ｍｍの範囲で第１の開口部３２ｂは５ｍｍピッチの配置のため、直管ランプ２０の中心の高さ方向のピッチは２．５ｍｍピッチでも設置可能となる。
【００５８】
なお、直管ランプ２０の撓み量を矯正する目的としては、２．５ｍｍピッチでその高さを調整できるので、直管ランプ２０の下方側から、高精度に撓みを矯正して支持することが可能となる。
【００５９】
また、図９に示す第２の固定具３２の材質はシリコンゴム性乳白色であり、この材質及び色がもっとも照明光に対して邪魔にならず、高温や紫外線に強い為長期にわたって撓み矯正量を維持することができる。
【００６０】
したがって、第２の固定具３２における複数の第１の開口部３２ｂと複数の第２の開口部３２ｃとを選択して第１の固定具３１に接続することができる。このため、直管ランプ２０の高さ方向の位置調整を可能として直管ランプ２０の撓みを下方側から確実に矯正することができ、外観上の見栄えを良好にすることができる。
【００６１】
また、本実施の形態に係る直管ランプ用支持具３０は、第２の固定具３２が弾性部材で構成されることにより、第１の固定具３１との接続に対して簡単に曲げられる等の柔軟性を有して容易に接続を行うことができる。
【００６２】
また、本実施の形態に係る直管ランプ用支持具３０は、第２の固定具３２の第１の開口部３２ｂ及び第２の開口部３２ｃのそれぞれを第１の固定具３１の両端のフック部３１ｃにそれぞれ係合するために、第２の固定具３２の第１の固定具３１への接続に、ネジ等の別部品を用いずに、極めて簡単に行うことができる。
【００６３】
また、本実施の形態に係る直管ランプ用支持具３０は、第２の固定具３２の複数の第１の開口部３２ｂと複数の第２の開口部３２ｃとの組み合わせを適宜変更して第１の固定具３１に接続することにより、直管ランプ２０の設置位置を任意に設定することができ、直管ランプ２０の最高設置位置と最低設置位置との幅を大きく設定することができる。
【００６４】
また、本実施の形態に係る直管ランプ用支持具３０は、第２の固定具３２の複数の第１の開口部３２ｂと複数の第２の開口部３２ｃとの組み合わせを適宜変更して第１の固定具３１に接続することにより、直管ランプ２０の設置位置を細かいピッチで高精度に矯正することができる。
【００６５】
また、本実施の形態に係る直管ランプ用支持具３０は、第２の固定具３２が、白色系のシリコンゴムであるために、この材質及び色がもっとも照明光に対して邪魔にならない。また、シリコンゴムは、高温や紫外線に強いために、長期にわたって撓みの矯正量を維持することができる。
【００６６】
また、本実施の形態に係る直管ランプ用支持具３０は、第２の固定具３２によって直管ランプ２０が抱持されるために、直管ランプ２０の落下を確実に防止することができる。
【００６７】
以上のように、本発明の実施の形態に係る照明装置１は、既存のネジ穴１３に固定される第１の固定具３１に対して第２の固定具３２が接続されることにより直管ランプ２０が固定される。したがって、既存の照明装置１に取り付けることができ、直管ランプ２０の落下を防止できる。
【００６８】
第２の固定具３２は、一方の端部に第１の間隔寸法Ｌ１を介して等間隔に配置された複数の第１の開口部３２ｂと、他方の端部に第１の開口部３２ｂより開口面積が大きく、第１の間隔寸法Ｌ１より長い第２の間隔寸法Ｌ２を介して等間隔に配置された複数の第２の開口部３２ｃを有する。そして、第１の固定具３１の両端に第２の固定具３２の第１の開口部３２ｂ、及び第２の開口部３２ｃが接続される。
【００６９】
したがって、第２の固定具３２における複数の第１の開口部３２ｂと複数の第２の開口部３２ｃとを選択して第１の固定具３１に接続することができるために、直管ランプ２０の高さ方向の位置調整を可能にでき、直管ランプ２０の高さ方向の位置調整を可能として直管ランプ２０の撓みを確実に矯正でき、外観上の見栄えを良好にすることができる。
【００７０】
なお、本実施の形態に係る直管ランプ用支持具３０及び照明装置１において、ネジ穴１３は、反射板１２の中央部に予め設けられるのに代えて、直管ランプ２０の軸方向に複数個設けられていてもよい。もちろん、その場合も、それらネジ穴１３に第１の固定具３１がそれぞれ取り付けられ、第１の固定具３１に第２の固定具３２、４１を取り付けることができる。また、第２の固定具３２、４１は、乳白色に着色されるのに代えて、例えば、透明やグレーであってもよい。さらに、第２の固定具３２、４１は、金属製に代えて、硬質な樹脂製であってもよい。さらに加えて、直管ランプ２０は、図示した単一本に代えて、多数本が並列または直列に配列されていてもよい。
【００７１】
以上説明したように、本発明に係る直管ランプ用支持具３０及び照明装置１は、既存の照明装置１に取り付け可能な汎用性を有し、直管ランプ２０の高さ方向の位置調整を可能として直管ランプ２０の撓みを確実に矯正でき、直管ランプ２０の落下を防止でき、外観上の見栄えを良好にすることができるという効果を有し、例えば、体育館や講堂等の手の届かない位置に設置される照明装置に特に有用である。
【符号の説明】
【００７２】
１  照明装置
１０  照明器具本体
１１  ソケット
２０  直管ランプ
３０  直管ランプ用支持具
３１  第１の固定具
３２  第２の固定具
３２ｂ  第１の開口部
３２ｃ  第２の開口部
【先行技術文献】
【特許文献】
【００７３】
【特許文献１】特開２０１３−０２６０３２号公報
【図１】
2015138690.tif 000003
【図２】
2015138690.tif 000004
【図３】
2015138690.tif 000005
【図４】
2015138690.tif 000006
【図５】
2015138690.tif 000007
【図６】
2015138690.tif 000008
【図７】
2015138690.tif 000009
【図８】
2015138690.tif 000010
【図９】
2015138690.tif 000011
【図１０】
2015138690.tif 000012
【図１１】
2015138690.tif 000013
【図１２】
2015138690.tif 000014
【図１３】
2015138690.tif 000015
【図１４】
2015138690.tif 000016
【図１５】
2015138690.tif 000017
【図１６】
2015138690.tif 000018
【図１７】
2015138690.tif 000019